(57)【要約】【課題】防水パンをコストダウン化させることができ、捩れ等に対する剛性を高め、しかも、嵩張ることのない、防水パンの補強構造を提供する。【解決手段】浴室ユニット等の防水パン１において、防水パン１の裏面に、高いリブ２を有する部分と、少なくとも一対の高いリブ２に挟まれ低いリブ３を有するか又はリブを有さない部分を形成し、低いリブ３又はリブを有さない場合は平坦な裏面に当接する上部５ａと、高いリブ２に当接する鍔部５ｃを有する断面略ハット形状に曲げ加工した鋼板５で、防水パン１の裏面を補強する。【選択図】図４
2007303216.tif 000002
【特許請求の範囲】
【請求項１】
浴室ユニット等の防水パンにおいて、
該防水パンの裏面に、高いリブを有する部分と、少なくとも一対の高いリブに挟まれ低いリブを有するか又はリブを有さない部分を形成し、
前記低いリブ又はリブを有さない場合は平坦な裏面に当接する上部と、前記高いリブに当接する鍔部を有する断面略ハット形状に曲げ加工した鋼板で、防水パンの裏面を補強したことを特徴とする防水パンの補強構造。
【請求項２】
前記防水パンの裏面に、少なくとも一対の前記高いリブに挟まれた部分を複数形成するとともに、
当該複数の部分のそれぞれの形状に応じた複数の前記鋼板で防水パンの裏面を補強したことを特徴とする請求項１に記載の防水パンの補強構造。
【発明の詳細な説明】
【技術分野】
【０００１】
本発明は、浴室ユニット等の防水パンの補強構造に関するものである。
【背景技術】
【０００２】
従来、特許文献１に開示されているように、防水パンの裏面に形成されたリブの下端全面に金属板をネジ止めして補強した防水パンの補強構造が存在する。
【特許文献１】特開２００３−２７８２０７号公報
【発明の開示】
【発明が解決しようとする課題】
【０００３】
上記した特許文献１に開示されている構造では、背の高いリブの下端に更に金属板がネジ止めされるため、防水パンの高さが大となり、積み重ねて保管する時や輸送する時に嵩張ってしまうという問題点があった。
また、捩れや垂直荷重に対する剛性を十分に確保することが困難であるという問題点があった。
【課題を解決するための手段】
【０００４】
本発明は上記従来の問題点に鑑み案出したものであって、嵩張ることなく十分な強度が確保できる防水パンの補強構造を提供するものであり、その請求項１は、浴室ユニット等の防水パンにおいて、該防水パンの裏面に、高いリブを有する部分と、少なくとも一対の高いリブに挟まれ低いリブを有するか又はリブを有さない部分を形成し、前記低いリブ又はリブを有さない場合は平坦な裏面に当接する上部と、前記高いリブに当接する鍔部を有する断面略ハット形状に曲げ加工した鋼板で、防水パンの裏面を補強したことである。
【０００５】
また、請求項２は、前記防水パンの裏面に、少なくとも一対の前記高いリブに挟まれた部分を複数形成するとともに、当該複数の部分のそれぞれの形状に応じた複数の前記鋼板で防水パンの裏面を補強したことである。
【発明の効果】
【０００６】
本発明は、浴室ユニット等の防水パンにおいて、該防水パンの裏面に、高いリブを有する部分と、少なくとも一対の高いリブに挟まれ低いリブを有するか又はリブを有さない部分を形成し、前記低いリブ又はリブを有さない場合は平坦な裏面に当接する上部と、前記高いリブに当接する鍔部を有する断面略ハット形状に曲げ加工した鋼板で、防水パンの裏面を補強したことにより、防水パンの裏面には、低いリブを有するか又はリブを有さない部分が形成されているため、防水パンの材料費が低減されて加工コストを低減させることができ、しかも断面略ハット形状の鋼板で補強することで、捩れや垂直荷重に対する強度も確保することができ、防水パンの高さ寸法も薄くすることができ、保管或いは輸送時に嵩張ることがないものとなる。
また、更には断面略ハット形状の鋼板内に給排水の配管等を設けることができ、スペースを有効利用できるものとなる。
【０００７】
また、前記防水パンの裏面に、少なくとも一対の前記高いリブに挟まれた部分を複数形成するとともに、当該複数の部分のそれぞれの形状に応じた複数の前記鋼板で防水パンの裏面を補強したことにより、鋼板同士の接続と防水パンへの接続を同時に行うことができ、しかも防水パンの排水トラップ等を避けるための切欠きを設けなくても、良好に防水パンの裏側を複数に分割された鋼板で補強することができるものとなる。
【実施例】
【０００８】
以下、本発明の実施例を図面に基づいて説明する。
図１は、防水パンの裏面図であり、また図２は、図１のＡ−Ａ線断面構成図である。
浴室ユニット等の床面を構成する防水パン１は、その裏側にリブが一体形成されているが、本例では、外周側に高さ寸法の大なる高いリブ２，２が碁盤の目状に一体形成され、中央側には高さ寸法の低いリブ３が碁盤の目状に一体形成されたものとなっており、この低いリブ３の部分は、高いリブ２の部分よりも凹んだ状態となって、この低いリブ３の部分に図３に示すような鋼板５が嵌め込まれて補強されるものである。
【０００９】
鋼板５は、図４の取付状態の概略図で示すように、上部５ａの幅方向両端側から下方へ垂下させて垂下部５ｂ，５ｂが形成され、各垂下部５ｂの下端で水平に外側へ折り曲げて鍔部５ｃ，５ｃが一体形成され、鋼板５は曲げ加工により断面略ハット形状に形成されたものである。即ち、鋼板５は、上部５ａが低いリブ３の下端全域に当接する面積に形成されており、鍔部５ｃは高いリブ２の下端に当接するように形成されている。
なお、鍔部５ｃが高いリブ２に形成されているボス部にネジで締め付けられて固定状に防水パン１の裏面に取り付けられるものである。
【００１０】
なお、図５に示す防水パン１は、低いリブ３の部分がリブが全く無い平板状に形成されたものであり、図５の場合は、鋼板５の上部５ａが平板状の防水パン１の裏面に直接当接され、鋼板の垂下部５ｂが高いリブ２に沿って嵌め込まれ、鍔部５ｃが高いリブ２の下端に当接されるものである。
このように、折り曲げ加工した鋼板５で防水パン１の裏面を補強することとしたため、鋼板５の嵌め込まれる部分は、低いリブ３或いはリブを有さない部分として形成しておくことができるため、材料費が少なくなり、防水パン１の加工コストが低減されて、安価に防水パンを形成することができるものとなる。
また、高いリブ２で囲まれた凹状の部分に鋼板５が嵌め込まれることで、捩れに対する剛性が高まり、高いリブ２と垂下部５ｂで垂直荷重に対する強度を向上させることができるものとなる。さらに、嵩張ることなく良好に積み重ねて保管や輸送を行うことができるものとなる。
【００１１】
更に図４，図５のように、凹状となっている鋼板５の上部５ａ内に給水給湯配管６等を配設して、この上部５ａ内のスペースを有効利用することができるものとなり、給水給湯配管６に限らず、上部５ａには床暖房用の暖房機材や発泡スチロール等の断熱材を入れることもできるものである。
【００１２】
次に、図６〜図９に示すものは第２実施例であり、第２実施例では、補強用の鋼板は３つの鋼板５１，５２，５３に分割されたものであり、鋼板５１と５３は同寸法に形成されており、鋼板５２は排水枡４の部分を避けるために、長さ寸法が短く、また幅寸法も短く形成されている。なお、各鋼板５１，５２，５３は、それぞれ断面略ハット形状に曲げ加工して形成されたものである。
【００１３】
本例では、防水パン１の裏側には、長手方向の左右両端側に高さの高いリブ２が一体形成されており、更に高いリブ２は排水枡４の両側に一対形成されており、その他の部分は高さの低いリブ３で形成されている。
この低いリブ３の部分に、図８の平面図で示すように、３枚の鋼板５１，５２，５３を重ね合わせた状態で嵌め込み、ネジ止めして取り付けることができるものであり、図９には、鋼板５１と５２の取付状態の要部拡大断面図を示す。
【００１４】
鋼板５１の上部５ａは、低いリブ３の下端に当接されて両側の高いリブ２，２内に嵌め込まれ、鋼板５１の垂下部５ｂ，５ｂはそれぞれ高いリブ２に沿って垂下され、鋼板５１の鍔部５ｃは高いリブ２の下端に当接されるものであり、この状態で鋼板５２の鍔部５ｃが鋼板５１の鍔部５ｃ下に重ね合わされて、この状態で高いリブ２に所定間隔で形成されているボス部２ａにネジ７を締め付けて、ネジ７により鋼板５１と５２を接合させながら防水パン１に固定でき、ネジ７により鋼板５１，５２の接合と同時に防水パン１への固定が行えるものである。同様に、鋼板５２と鋼板５３の鍔部５ｃを重ね合わせてネジで固定し、防水パン１に取り付けることができるものである。
【００１５】
本例では、鋼板５２の寸法が短く設定されているため、良好に防水パン１の排水枡４の部分を避けて取り付けることができる。即ち、鋼板が一枚ものである場合には、排水枡４の部分は切欠きを設ける必要があるが、３枚で構成することで切欠き等が必要とならず、防水パン１の裏面の広い面積に亘り、鋼板５１，５２，５３で補強することができ、各鋼板５１，５２，５３の垂下部５ｂの数が増えるために、垂直荷重に対しての強度を向上させることができ、捩れに対する剛性も向上させることができるものとなる。
なお、各鋼板５１，５２，５３の凹み状の上部５ａ内のスペースを利用して、給水給湯配管等を良好に設けることができるものとなる。
【図面の簡単な説明】
【００１６】
【図１】第１実施例の防水パンの裏面図である。
【図２】図１のＡ−Ａ線断面構成図である。
【図３】鋼板の平面構成図である。
【図４】鋼板を防水パンの裏面に取り付け、更に鋼板内に配管を施した要部斜視構成図である。
【図５】低いリブが無い平板状に形成された防水パンの裏面に鋼板を取り付け、更に鋼板内に配管を施した要部斜視構成図である。
【図６】第２実施例の防水パンの裏面図である。
【図７】図６のＢ−Ｂ線断面構成図である。
【図８】３枚の鋼板を重ね合わせた平面構成図である。
【図９】鋼板を重ね合わせて防水パンの裏側にネジで取り付けた状態の要部断面拡大構成図である。
【符号の説明】
【００１７】
１  防水パン
２  高いリブ
３  低いリブ
４  排水枡
５，５１，５２，５３  鋼板
５ａ  上部
５ｂ  垂下部
５ｃ  鍔部
６  給水給湯配管
７  ネジ
【図１】
2007303216.tif 000003
【図２】
2007303216.tif 000004
【図３】
2007303216.tif 000005
【図４】
2007303216.tif 000006
【図５】
2007303216.tif 000007
【図６】
2007303216.tif 000008
【図７】
2007303216.tif 000009
【図８】
2007303216.tif 000010
【図９】
2007303216.tif 000011